【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
表面改質された炭酸カルシウムの表面処理方法であって、以下の工程：
ａ）  水性懸濁液の総重量を基準にして５〜８０重量％の範囲の固形分を有する少なくとも１つの表面改質された炭酸カルシウムの水性懸濁液を提供する工程；
ｂ）  工程ａ）の水性懸濁液のｐＨ値を７．５〜１２の範囲に調整する工程；
ｃ）  工程ｂ）で得られた水性懸濁液に、少なくとも１つの表面処理剤を、工程ａ）で提供された表面改質された炭酸カルシウムの利用可能な表面積１ｍ２当たり０．０５〜１０ｍｇの範囲の表面処理剤の量で添加する工程であって、少なくとも１つの表面処理剤が、一置換又は二置換無水コハク酸含有化合物、一置換又は二置換コハク酸含有化合物、一置換又は二置換コハク酸塩含有化合物；不飽和脂肪酸、不飽和脂肪酸の塩；リン酸の不飽和エステル、不飽和リン酸エステルの塩；アビエチン酸、アビエチン酸の塩及びそれらの混合物からなる群から選択される工程；
ｄ）  工程ｃ）で得られた水性懸濁液を３０〜１２０℃の範囲の温度で混合する工程；及び
ｅ）  工程ｄ）の間又は後に水性懸濁液を、得られた表面処理された炭酸カルシウムの含水率が、表面処理された炭酸カルシウムの総重量を基準にして０．００１〜２０重量％の範囲になるまで、４０〜１６０℃の範囲の温度で周囲圧力又は減圧下に乾燥させる工程
を含む、方法。
【請求項２】
工程ｂ）におけるｐＨ値が、工程ａ）の水性懸濁液に少なくとも１つの塩基を添加することによって調整される、請求項１に記載の方法。
【請求項３】
工程ｃ）の水性懸濁液に少なくとも１つの塩基を添加して、工程ｄ）の間又は後にｐＨ値を７．５〜１２の範囲に再調整するさらなる工程ｆ）を含む、請求項１又は２に記載の方法。
【請求項４】
工程ｃ）の水性懸濁液に少なくとも１つの塩基を添加して、工程ｄ）の間又は後にｐＨ値を８〜１１．５の範囲に再調整するさらなる工程ｆ）を含む、請求項１又は２に記載の方法。
【請求項５】
一置換又は二置換無水コハク酸含有化合物、一置換又は二置換コハク酸含有化合物、又は一置換又は二置換コハク酸塩含有化合物が、架橋性二重結合を含む置換基Ｒ１及び／又はＲ２を含む、請求項１から４のいずれか一項に記載の方法。
【請求項６】
工程ａ）の水性懸濁液の固形分が、水性懸濁液の総重量を基準にして１０〜７０重量％の範囲であり；及び／又はＢＥＴ窒素法で測定した表面改質された炭酸カルシウムの比表面積は、２０〜２５０ｍ２／ｇの範囲である、請求項１から５のいずれか一項に記載の方法。
【請求項７】
工程ａ）の水性懸濁液の固形分が、水性懸濁液の総重量を基準にして１５〜６０重量％の範囲であり；及び／又はＢＥＴ窒素法で測定した表面改質された炭酸カルシウムの比表面積は、２５〜２００ｍ２／ｇの範囲である、請求項１から５のいずれか一項に記載の方法。
【請求項８】
工程ｂ）で添加される少なくとも１つの塩基が、水酸化カルシウム、水酸化マグネシウム、炭酸水素カルシウム、水酸化ナトリウム、水酸化カリウム、水酸化リチウム、水酸化アンモニウム、第一級、第二級及び第三級アミン、及びそれらの混合物から選択される、請求項２から７のいずれか一項に記載の方法。
【請求項９】
工程ｂ）で添加される少なくとも１つの塩基が、水酸化カルシウムである、請求項２から７のいずれか一項に記載の方法。
【請求項１０】
工程ａ）の水性懸濁液のｐＨ値が、方法の工程ｂ）において７．８〜１１．５の範囲に調整される、請求項１から９のいずれか一項に記載の方法。
【請求項１１】
工程ａ）の水性懸濁液のｐＨ値が、方法の工程ｂ）において８〜１１の範囲に調整される、請求項１から９のいずれか一項に記載の方法。
【請求項１２】
工程ｃ）で添加される少なくとも１つの表面処理剤の量が、表面改質された炭酸カルシウムの利用可能な表面積１ｍ２当たり、表面処理剤０．０７〜９ｍｇの範囲である、請求項１から１１のいずれか一項に記載の方法。
【請求項１３】
工程ｃ）で添加される少なくとも１つの表面処理剤の量が、表面改質された炭酸カルシウムの利用可能な表面積１ｍ２当たり、表面処理剤０．１〜８ｍｇの範囲である、請求項１から１１のいずれか一項に記載の方法。
【請求項１４】
少なくとも１つの表面処理剤が、
ａ）一置換又は二置換コハク酸の、ナトリウム塩、カリウム塩、カルシウム塩、マグネシウム塩、リチウム塩、ストロンチウム塩、第一級アミン塩、第二級アミン塩、第三級アミン塩及び／又はアンモニウム塩であって、ここで、アミン塩は直鎖又は環状であり、ここで、一方又は両方の酸性基は塩の形態であり得る塩；不飽和脂肪酸；リン酸の不飽和エステル；アビエチン酸及び／又はそれらの混合物から選択され；及び／又は
ｂ）１０００〜３０００００ｍＰａ・ｓの範囲の２５℃でのブルックフィールド粘度、及び／又はマレイン化ポリブタジエン１ｇ当たり水酸化カリウム１０〜３００ｍｇの範囲の酸価、及び／又はマレイン化ポリブタジエン１００ｇ当たりヨウ素１００〜１０００ｇの範囲のヨウ素価を有する、マレイン化ポリブタジエン；及び／又は
ｃ）１００〜３００００ｍＰａ・ｓの範囲の２５℃でのブルックフィールド粘度、及び／又はポリイソブチレン無水コハク酸１ｇ当たり水酸化カリウム１０〜８０ｍｇの範囲の酸価を有する、ポリイソブチレン無水コハク酸
である、請求項１から１３のいずれか一項に記載の方法。
【請求項１５】
ａ）に記載の表面処理剤が、完全に中和された表面処理剤であり；ａ）に記載の不飽和脂肪酸が、オレイン酸およびリノールからなる群から選択される、請求項１４に記載の方法。
【請求項１６】
工程ｄ）が、４５〜１１５℃の範囲の温度で、及び／又は１秒〜６０分の範囲の期間に実施される、請求項１から１５のいずれか一項に記載の方法。
【請求項１７】
工程ｄ）が、５０〜１０５℃の温度で、及び／又は１秒〜６０分の範囲の期間に実施される、請求項１から１５のいずれか一項に記載の方法。
【請求項１８】
工程ｅ）が、得られた表面処理された炭酸カルシウムの含水率が、表面処理された炭酸カルシウムの総重量を基準にして、０．００５〜１５重量％の範囲になるまで実施される、請求項１から１７のいずれか一項に記載の方法。
【請求項１９】
工程ｅ）が、得られた表面処理された炭酸カルシウムの含水率が、表面処理された炭酸カルシウムの総重量を基準にして、０．０１〜１０重量％の範囲になるまで実施される、請求項１から１７のいずれか一項に記載の方法。
【請求項２０】
工程ｅ）が、５０〜１５５℃の範囲の温度で実施される、請求項１から１９のいずれか一項に記載の方法。
【請求項２１】
工程ｅ）が、７０〜１５０℃の範囲の温度で実施される、請求項１から１９のいずれか一項に記載の方法。
【請求項２２】
工程ｆ）で添加される少なくとも１つの塩基が、水酸化リチウム、水酸化ナトリウム、水酸化カリウム、水酸化カルシウム、水酸化マグネシウム及び／又はそれらの混合物からなる群から選択される、請求項３から２１のいずれか一項に記載の方法。
【請求項２３】
工程ｅ）の後又は間に、工程ｄ）又はｅ）の表面処理された炭酸カルシウムを解凝集するさらなる工程ｇ）を含む、請求項１から２２のいずれか一項に記載の方法。
【請求項２４】
さらなる工程ｇ）が、工程ｅ）の間に実施される、請求項２３に記載の方法。
【請求項２５】
方法の全ての工程が、完全に又は部分的にバッチ処理又は連続処理である、請求項１から２４のいずれか一項に記載の方法。
【請求項２６】
工程ａ）〜ｄ）及びｆ）がバッチ処理であり、工程ｅ）が連続処理である、請求項２５に記載の方法。
【請求項２７】
請求項１から２６のいずれか一項に記載の方法により得られる表面処理された炭酸カルシウム。
【請求項２８】
ポリマー組成物、製紙、紙コーティング、農業用途、塗料、接着剤、シーラント、建築用途、製薬用途及び／又は化粧品用途における、請求項２７に記載の表面処理された炭酸カルシウムの使用。
【請求項２９】
ゴムの架橋用、シート成形化合物における、バルク成形化合物、架橋性ポリオレフィン系配合物における、架橋性ポリ塩化ビニルにおける、不飽和ポリエステルにおける及びアルキド樹脂における、請求項２７に記載の表面処理された炭酸カルシウムの使用であって、表面処理された炭酸カルシウムが、一置換又は二置換無水コハク酸含有化合物、完全に又は部分的に中和された一又は二置換無水コハク酸含有化合物、不飽和脂肪酸、不飽和脂肪酸の塩、リン酸の不飽和エステル、不飽和リン酸エステルの塩、アビエチン酸、アビエチン酸の塩及びそれらの混合物から選択される少なくとも１つの表面処理剤で表面処理されている、使用。
【請求項３０】
架橋性ポリオレフィン系配合物が、パイプ及びケーブル用である、請求項２９に記載の使用。
【請求項３１】
請求項２５または２６に記載の表面処理された炭酸カルシウム及び硬化剤の、架橋性化合物の、架橋のための使用であって、硬化剤が過酸化物、又は硫黄をベースとする硬化剤である、使用。
【請求項３２】
架橋性化合物が、ゴム、ポリオレフィン系配合物、ポリ塩化ビニル、不飽和ポリエステル及びアルキド樹脂からなる群から選択される、請求項３１に記載の使用。